(57)【特許請求の範囲】
【請求項１】
複数の油種を給油する給油機構を本体ケース内に備え、各給油機構が先端に給油ノズルを有する給油ホースに接続され、選択された油種を給油する給油装置において、
前記本体ケースには、顧客が給油作業を行なうセルフサービス方式あるいは作業員が給油作業を行なうフルサービス方式のいずれかを選択する方式選択スイッチ、及び複数の油種のいずれかを選択する油種選択スイッチと、前記方式選択スイッチで選択されたサービス方式及び前記油種選択スイッチで選択された油種に対応して給油料金の計算方式を選択する料金選択手段と、前記本体ケースに設けられた給油ノズルのノズル掛けには、前記選択スイッチでセルフサービス方式を選択したとき、事務所に配置されたＰＯＳ端末装置からのロック解除信号に基づいてロックを解除するノズルロック部とを備えることを特徴とする給油装置。
【発明の詳細な説明】
【０００１】
【発明が属する技術分野】
本発明は、セルフサービス方式またはフルサービス方式を顧客自身が選択できる給油装置に関するものである。
【０００２】
【従来の技術】
従来、給油作業及びサービス作業を作業員が行うフルサービス方式の給油所が一般的であるが、近年では、給油作業及び窓拭き等のサービス作業を顧客自身が行うセルフサービス方式の給油所がある。このセルフサービス方式の給油所では、顧客自身が作業を行なうため給油代金を安くできる利点があるが、女性等の機器操作に不慣れな人、または雨や雪等の天候の悪いときには敬遠されることがあった。
【０００３】
【発明が解決しようとする課題】
従来の給油所に設置される給油装置は、セルフサービス方式あるいはフルサービス方式によって機器操作、給油料金の計算とその表示等が異なるため、いずれか一方の方式のものであり、顧客自身が希望に応じて自由に選択できるものではなかった。
【０００４】
本発明は上記事情に鑑みなされたもので、顧客の希望に応じてサービス方式を自由に選択できる給油装置を提供することを目的とする。
【０００５】
【課題を解決するための手段】
上記目的を達成するために、本発明の給油装置は、複数の油種を給油する給油機構を本体ケース内に備え、各給油機構が先端に給油ノズルを有する給油ホースに接続され、選択された油種を給油する給油装置において、前記本体ケースには、顧客が給油作業を行なうセルフサービス方式あるいは作業員が給油作業を行なうフルサービス方式のいずれかを選択する方式選択スイッチ、及び複数の油種のいずれかを選択する油種選択スイッチと、前記方式選択スイッチで選択されたサービス方式及び前記油種選択スイッチで選択された油種に対応して給油料金の計算方式を選択する料金選択手段と、前記本体ケースに設けられた給油ノズルのノズル掛けには、前記選択スイッチでセルフサービス方式を選択したとき、事務所に配置されたＰＯＳ端末装置からのロック解除信号に基づいてロックを解除するノズルロック部とを備えることを特徴とするものである。顧客の希望に応じてサービス方式を自由に選択でき料金もサービス方式に応じて計算できる。また、顧客の希望に応じてサービス方式を自由に選択でき料金もサービス方式に応じて計算でき、油種等に応じて単価を変えたり手数料を決めることができ、さらには事務所のＰＯＳ端末装置においてセルフサービス方式のときに顧客が誤った給油ノズルを外して誤給油することを防止できる点で好ましい。
【０００９】
【発明の実施の形態】
以下、本発明を図示の一実施形態により具体的に説明する。図１〜図３は本発明実施形態の給油装置を説明する図であり、図１は給油装置の全体構成を説明するブロック図、図２は給油装置の構成を説明する図、図３は給油装置の正面図である。
【００１０】
これらの図において、本実施形態の給油装置１０は、例えば、レギュラーガソリン、ハイオクガソリン及び軽油のいずれかの油種をセルフサービスあるいはフルサービスのいずれかを選択して給油する地上設置型の装置であり、その本体ケース１１には、それぞれの油種の給油機構を構成するポンプモータ１２で駆動される給油ポンプ１３、流量パルス発信器１４を有する流量計１５が順次地下タンクに連通する給油管に接続され、さらに流量計１５の流出口に連通する配管１６を介して先端に給油ノズル１７を有する給油ホース１８に接続されている。本体ケース１１は、給油機構等を収容する下部ケース１１ａ、その上部に配置された表示部ケース１１ｂ、下部ケース１１ａ及び表示部ケース１１ｂの左右に設けられた支柱１１ｃ，１１ｃ、支柱１１ｃ，１１ｃの上端部間に設けられた給油ホース１８を吊り下げる頂部ケース１１ｄ、支柱１１ｃ，１１ｃ及び下部ケース１１ａの下部に設けられたベッド部１１ｅ等とからなる。
【００１１】
給油ノズル１７は、選択された油種を表示する油種ランプ２９ａが設けられており、下部ケース１１ａの正面側に設けられたノズル掛け１９に掛けられるようになっている。また、ノズル掛け１９の上部の本体ケース１１には、油種を表示する油種ランプ２９ｂが設けられている。このノズル掛け１９には、給油開始前に給油ノズル１７を掛けた状態の保持するためのノズルロック部１９ａを備えている。また、ノズル掛け１９の近傍には、ノズルスイッチ２２が設けられている。表示部ケース１１ｂの正面側の中央部には、給油量、給油料金、単価、手数料等を表示する表示器２１が設けられ、この表示器２１の下部には、セルフサービスあるいはフルサービスのいずれかを選択する方式選択スイッチ２３が設けられている。また、表示部ケース１１ｂの正面側の表示器２１の左側には、給油量等のデータを入力するためのキーボード２５ａと、そのデータ等を表示するデータ表示器２５ｂと、その下部にカードリーダ２５ｃと、プリンタ２５ｄと、レギュラーガソリン、ハイオクガソリンまたは軽油のいずれかの油種を選択する油種選択スイッチ２５ｅとを備えるデータ入出力装置２５が設けられている。表示部ケース１１ｂの上部と頂部ケース１１ｄの空間部分には、選択されたセルフサービスまたはフルサービスのいずれかのサービス方式を表示するための広告板状に形成された方式ランプ２８が配置されている。
【００１２】
さらに本体ケース１１内には、制御装置３０が配置され、ノズルスイッチ２２、流量パルス発信器１４、方式選択スイッチ２３、油種選択スイッチ２５ｅ、データ入出力装置２５あるいは事務所等に配置されたＰＯＳ端末４０からの信号に基づいて、ポンプモータ１２、ノズルロック部１９ａ、表示器２１、プリンタ２５ｄ、方式ランプ２８、油種ランプ２９（ａ，ｂ）等の各部の動作を制御するようになっている。この制御装置３０は、各部からの信号を受信して給油のための制御信号や駆動信号を生成する給油制御手段３１と、方式選択スイッチ２３及び油種選択スイッチ２５ｅからの信号に基づいて単価変更、手数料加算等の給油量を計算する手段を選択するための料金選択手段３２と、表示器２１、方式ランプ２８や油種ランプ２９（ａ，ｂ）を駆動する表示制御手段３３と、ノズルロック部１９ａを駆動するロック駆動手段３４と、プリンタ２５ｄを駆動するプリンタ駆動手段３５と、ポンプモータ１２を駆動するモータ駆動手段３６と、ＰＯＳ端末４０との間でデータの送受信を行う通信手段３７等とから構成されている。
【００１３】
次に、給油装置１０の動作例を具体的に説明する。図４は給油装置の動作を説明するフローチャート、図５はＰＯＳ端末の動作を説明するフローチャートである。
【００１４】
まず、給油前に給油ノズル１７は、ノズル掛け１９に掛けられている状態においてノズルロック部１９ａでロックされ、方式ランプ２８及び給油ランプ２９は、消灯している。次に、給油する場合において、セルフサービス方式のときには、顧客自身が方式選択スイッチ２３でセルフサービスを選択するとともに油種選択ボタン２４で油種を選択し、フルサービス方式のときには、まず顧客が方式選択スイッチ２３でフルサービスを選択し、方式ランプ２８の点灯を見て作業員が続いて油種選択ボタン２４で油種を選択する。この選択操作により、選択されたセルフサービスまたはフルサービスのいずれか一方の方式ランプ２８が点灯し、また選択された油種の油種ランプ２９（ａ，ｂ）が点灯する（ＳＴ１，２）。セルフサービスを選択した場合には、顧客が続いてプリセット給油かあるいは満タン給油かの給油方式を設定すると（ＳＴ３，４）、その設定されたサービス方式及び油種等の設定データが通信手段３７を介して事務所内に配置されたＰＯＳ端末４０へ出力される（ＳＴ５）。ＰＯＳ端末４０側においては、設定データが入力すると（ＳＴ２１）、顧客がセルフサービスを選択し所定の油種を選択したことを知り、該当油種のノズルロック解除信号を給油装置１０側へ出力する（ＳＴ２２）。このノズルロック解除信号が入力したときに（ＳＴ６）、ロック駆動手段３４がノズルロック部１９ａのロックを解除する（ＳＴ７）。これにより顧客は、油種ランプ２９ａが点灯した給油ノズル１７のみをノズル掛け１９から外すことができ、誤った油種の給油が防止できる。フルサービスを選択した場合には、ロック駆動手段３４がノズルロック部１９ａのロックを解除する（ＳＴ８）。続いて、作業員はプリセット給油かあるいは満タン給油かの給油方式を設定する（ＳＴ９）。そして、いずれのサービス方式を選択した場合でも、選択した油種の給油ノズル１７をノズル掛け１９から外しノズルスイッチ２２がオンすると（ＳＴ１０）、表示器２１が帰零されるとともにポンプモータ１２がオンする（ＳＴ１１）。ノズルレバーを引くことで給油ができ、流量パルス発信器１４からの流量パルスを検出することで（ＳＴ１２）、給油制御手段３１が流量パルスを計数し表示制御手段３３を介して表示器２１に計数表示する（ＳＴ１３）。そしてプリセット給油の場合には設定されたプリセット量に達したか（ＳＴ１４）、あるいは満タン給油の場合には満タンを検知し（ＳＴ１５）、給油ノズル１７をノズル掛け１９に掛けノズルスイッチ２２がオフしたとき（ＳＴ１６）、ポンプモータ１２がオフになり、方式ランプ２８と油種ランプ２９（ａ，ｂ）が消灯し、ノズルロック部１９ａがロック状態になり、プリンタ駆動手段３５によりプリンタ２５ｄが伝票発行すると同時に、給油データを通信手段３７を介してＰＯＳ端末４０へ出力して（ＳＴ１７）、給油作業を終了する。一方、給油データが入力したＰＯＳ端末４０は、精算処理を行い（ＳＴ２４）、終了する。
【００１５】
なお、給油料金の計算に際してサービス方式、油種あるいは給油量等に応じて異なる計算方式が料金選択手段３２により選択され、この計算方式に基づいて給油料金が算出されるようになっている。すなわち、フルサービス方式とセルフサービス方式の油種単価を変える場合、フルサービス方式では給油量に応じた手数料を加算する場合、フルサービス方式では一率の手数料を加算する場合等の決められた計算方式があり、料金選択手段３２は方式選択スイッチ２３、油種選択スイッチ２５ｅまたは給油制御手段３１からの給油量のデータに基づいて計算方式のいずれかを設定し、それに基づいて給油量表示器２１ａ、給油料金表示器２１ｂ及び単価や手数料等の表示器２１ｃを表示させたり、精算処理のためにＰＯＳ端末４０へ給油データとともに出力する。例えば、レギュラーガソリンを選択した場合、セルフサービス方式のときには９２円、フルサービス方式のときには９７円等のように単価を変えたり、フルサービス方式の場合、給油量に応じた手数料を加算したり、あるいは給油量に関係なく一定の１００円等の手数料を加算する計算方式を決めることができる。
【００１６】
上記構成の給油装置１０によれば、方式選択スイッチ２３によりサービス方式を選択し、油種選択スイッチ２５ｅにより油種を選択すると、それぞれの方式ランプ２８及び油種ランプ２９（ａ，ｂ）が点灯し、セルフサービス方式を選択した場合には、給油方式を設定したときに該当給油ノズルのノズルロック部１９ａのロックが解除され、フルサービス方式を選択した場合には、給油方式の設定に係らず給油ノズルのノズルロック部１９ａのロックが解除されるため、顧客は希望に応じてサービス方式を自由に選択でき、セルフサービス方式のときには、ＰＯＳ端末４０からのロック解除信号により該当油種の給油ノズル１７のロックが解除され、顧客は油種ランプ２９（ａ，ｂ）が点灯した給油ノズル１７をノズル掛け１９から外すことで誤った油種が給油されることが防止される。その後はいずれのサービス方式でも給油ノズル１７をノズル掛けから外して選択した給油方式により給油し、給油終了により給油ノズル１７をノズル掛け１９に掛けると、ポンプモータ１２がオフとなり、方式ランプ２８及び油種ランプ２９（ａ，ｂ）が消灯し、ノズルロック部１９ａが給油ノズル１７をロックし、プリンタ２５ｄが伝票発行することで、精算処理を行うことができる。また、この給油装置１０においては、制御装置３０に料金選択手段３２を備え、サービス方式により油種単価を変えたり、フルサービス方式の場合には一定の手数料を加算したりする料金計算方式を選択することができ、セルフサービス方式の料金をフルサービス方式の料金より安価に設定することが容易にできる。
【００１７】
なお、上記実施形態において、事務所内等に設けたＰＯＳ端末４０が送信されてきた給油データに基づいて精算処理を行なう例を説明したが、給油装置１０自体に釣銭機を有するデータ入出力装置を設けてその場で精算処理を行なったり、あるいは給油装置１０の近傍に配置した屋外データ入出出力装置により精算処理を行なうようにしてもよい。また、給油装置１０は、レギュラーガソリン、ハイオクガソリンまたは軽油の３油種のいずれかを給油できる例を説明したが、他の油種を組み合わせてもよい。さらに、方式ランプ２８及び油種ランプ２９（ａ，ｂ）は、それぞれを表示できるものであればよく、実施形態に限定されない。料金選択手段３２は、サービス方式、油種、給油量等に応じて任意の計算方式を採用することができる。
【００１８】
【発明の効果】
以上説明したように本発明の給油装置は、サービス方式の選択に応じて給油ノズルのロックを制御したりランプの点灯を制御し、また料金計算方式を設定することで、顧客の希望に応じてサービス方式を自由に選択できる。
【図面の簡単な説明】
【図１】本発明実施形態の給油装置の全体構成を説明するブロック図である。
【図２】本発明実施形態の構成を説明する図である。
【図３】本発明実施形態の給油装置の正面図である。
【図４】本発明実施形態の給油装置の動作を説明するフローチャートである。
【図５】本発明実施形態のＰＯＳ端末の動作を説明するフローチャートである。
【符号の説明】
１０  給油装置
１１  本体ケース
１１ａ  下部ケース
１１ｂ  表示部ケース
１１ｃ  支柱
１１ｄ  頂部ケース
１１ｅ  ベッド部
１２  ポンプモータ
１３  給油ポンプ
１４  流量パルス発信器
１５  流量計
１６  配管
１７  給油ノズル
１８  給油ホース
１９  ノズル掛け
１９ａ  ノズルロック部
２１ａ，２１ｂ，２１ｃ  表示器
２２  ノズルスイッチ
２３  方式選択スイッチ
２５  データ入出力装置
２５ａ  キーボード
２５ｂ  データ表示器
２５ｃ  カードリーダ
２５ｄ  プリンタ
２５ｅ  油種選択スイッチ
２８  方式ランプ
２９ａ，２９ｂ  油種ランプ
３０  制御装置
３１  給油制御手段
３２  料金選択手段
３３  表示制御手段
３４  ロック駆動手段
３５  プリンタ駆動手段
３６  モータ駆動手段
３７  通信手段
４０  ＰＯＳ端末
【図１】
0003900329.tif 000002
【図２】
0003900329.tif 000003
【図３】
0003900329.tif 000004
【図４】
0003900329.tif 000005
【図５】
0003900329.tif 000006